(57)【要約】      （修正有）【課題】糊で封緘される封緘体に関し、開封後に、糊カスの発生を抑制できる封緘体を提供する。【解決手段】申込書１０は、糊代２１が外周部に設けられた糊代片２０と、糊代片２０に対して折り線４０を介して連設され、剥離部３１が外周部に設けられた剥離片３０とを備え、折り線４０で折った状態で、剥離部３１の外形は、糊代２１の外形よりも小さい。また、糊代２１の内縁２１ａは、剥離部３１の外縁３１ａよりも内側に位置する。このため、糊代２１、剥離部３１が位置ずれしても、糊代２１及び剥離部３１は、重複できる。【選択図】図２
2019011136.tif 000002
【特許請求の範囲】
【請求項１】
糊代が外周部に設けられた糊代片と、
前記糊代片に対して折り線を介して連設され、剥離部が外周部に設けられた剥離片と、
前記糊代片と前記剥離片との間に位置する折り線を対称軸とする左右対称な形状に形成され、この封緘体を前記折り線で折った状態で、前記剥離部の外縁から前記糊代の内縁までの範囲を通る切り取り線と、
を備え、
この封緘体を前記折り線で折った状態で、前記剥離部の外形は、前記糊代の外形よりも小さいこと、
を特徴とする封緘体。
【請求項２】
請求項１に記載の封緘体において、
前記剥離部は、前記剥離片の縁部まで形成された領域を備えること、
を特徴とする封緘体。
【請求項３】
請求項１又は請求項２に記載の封緘体において、
この封緘体を前記折り線で折った状態で、前記糊代の内縁は、前記剥離部の外縁と同一の位置、又は前記剥離部の外縁よりも内側に位置すること、
を特徴とする封緘体。
【請求項４】
請求項１から請求項３までのいずれかに記載の封緘体において、
この封緘体を前記折り線で折った状態で、前記切り取り線と、前記剥離部の外縁とは、一致していること、
を特徴とする封緘体。
【請求項５】
請求項１から請求項４までのいずれかに記載の封緘体において、
前記糊代に塗布された糊によって、前記糊代と、前記剥離片のうち前記剥離部よりも外側の部分とが貼り合わされた状態であること、
を特徴とする封緘体。
【発明の詳細な説明】
【技術分野】
【０００１】
本発明は、糊で封緘される封緘体に関するものである。
【背景技術】
【０００２】
従来、糊代の内側に剥離層を設けた申し込み封書があった（例えば特許文献１）。
しかし、従来の申し込み封書は、封緘された状態では、剥離層間に糊が挟まれた状態になる。糊は、剥離層に対して、強接着しないという性質を有する。このため、従来の申し込み封書は、開封後には、糊が剥離層から剥がれて、多くの糊カスが発生してしまう場合があった。
【先行技術文献】
【特許文献】
【０００３】
【特許文献１】特開２０１０−１９４９０９号公報
【発明の概要】
【発明が解決しようとする課題】
【０００４】
本発明の課題は、開封後に、糊カスの発生を抑制できる封緘体を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、糊代が外周部に設けられた糊代片と、前記糊代片に対して折り線を介して連設され、剥離部が外周部に設けられた剥離片と、前記糊代片と前記剥離片との間に位置する折り線を対称軸とする左右対称な形状に形成され、この封緘体を前記折り線で折った状態で、前記剥離部の外縁から前記糊代の内縁までの範囲を通る切り取り線と、を備え、この封緘体を前記折り線で折った状態で、前記剥離部の外形は、前記糊代の外形よりも小さいこと、を特徴とする封緘体である。
・第２の発明は、第１の発明に記載の封緘体において、前記剥離部は、前記剥離片の縁部まで形成された領域を備えること、を特徴とする封緘体である。
・第３の発明は、第１の発明又は第２の発明に記載の封緘体において、この封緘体を前記折り線で折った状態で、前記糊代の内縁は、前記剥離部の外縁と同一の位置、又は前記剥離部の外縁よりも内側に位置すること、を特徴とする封緘体である。
・第４の発明は、第１の発明から第３の発明までのいずれかに記載の封緘体において、この封緘体を前記折り線で折った状態で、前記切り取り線と、前記剥離部の外縁とは、一致していること、を特徴とする封緘体である。
・第５の発明は、第１の発明から第４の発明までのいずれかに記載の封緘体において、
前記糊代に塗布された糊によって、前記糊代と、前記剥離片のうち前記剥離部よりも外側の部分とが貼り合わされた状態であること、を特徴とする封緘体である。
【発明の効果】
【０００７】
本発明によれば、開封後に、糊カスの発生を抑制できる封緘体を提供できる。
【図面の簡単な説明】
【０００８】
【図１】第１実施形態の配送物１を示す図である。
【図２】第１実施形態の申込書１０を開いた状態を示す図である。
【図３】第１実施形態の申込書１０を封緘した状態を示す図である。
【図４】第１実施形態の申込書１０が封緘された状態から開く工程を説明する図である。
【図５】第１実施形態の申込書１０を開いた状態を説明する図である。
【図６】第２実施形態の申込書２１０を開いた状態を示す図である。
【図７】第３実施形態の申込書３１０を開いた状態を、上面から見た図である。
【図８】第４実施形態の申込書４１０を開いた状態を、上面から見た図である。
【発明を実施するための形態】
【０００９】
（第１実施形態）
以下、図面等を参照して、本発明の第１実施形態について説明する。
図１は、第１実施形態の配送物１を示す図である。
配送物１は、配送元から配送先に、配送業者によって、配送されるものである。
実施形態では、一例として、配送元は、携帯電話サービスを提供する携帯電話会社であり、また、配送先は、携帯電話サービスの利用者である形態を説明する。
配送物１は、利用明細書２、申込書１０（封緘体）が、封筒３に封入されたものである。申込書１０は、利用者が携帯電話会社に対して、利用料金を引き落とす銀行口座を、新たな銀行口座へ変更を希望する場合に用いられる。
利用明細書２、申込書１０は、２つ折りにされた状態で、封筒３に封入される。
利用者は、封筒３を開封後、必要事項を記入した申込書１０を、携帯電話会社に返送することにより、支払方法の変更を申し込むことができる。
【００１０】
申込書１０について、詳細に説明する。
実施形態、図面では、説明と理解を容易にするために、ＸＹＺ直交座標系を設けた。この座標系は、図２の状態を基準に、左右方向Ｘ、縦方向Ｙ、厚さ方向Ｚを表す。また、構成を明確に図示するために、厚さ方向Ｚの構成を、誇張して図示した。
図２は、第１実施形態の申込書１０を開いた状態を示す図である。
図２（Ａ）は、申込書１０を開いた状態を、上面（厚さ方向Ｚの上側の面）から見た図である。
図２（Ｂ）は、図２（Ａ）のＢ−Ｂ断面図である。
図３は、第１実施形態の申込書１０を封緘した状態を示す図である。
図３（Ａ）は、申込書１０を封緘した状態における糊代２１、剥離部３１の位置を説明する図である。
図３（Ｂ）は、図３（Ａ）のＢ−Ｂ断面図である。
図３（Ｃ）は、図３（Ａ）のＣ−Ｃ断面図である。
【００１１】
申込書１０は、例えば、紙片、樹脂シート等によって形成される。
申込書１０を封緘した状態で、内側となる面には、申込書１０の名称の印刷１１、必要事項を記入する記入欄（新口座に関する記入欄）の印刷１２等を備える。一方、外側となる面には、予め、返送先である携帯電話会社の宛て先１３（図４参照）等が印刷されている。
図２に示すように、申込書１０は、糊代片２０、剥離片３０、折り線４０、切り取り線５０を備える。
糊代片２０、剥離片３０は、折り線４０を介して連設されている。糊代片２０の外形と、剥離片３０の外形とは、等しい。
【００１２】
糊代片２０は、内側となる面に糊代２１を備える。
糊代２１は、利用者が糊２５（接着剤）を塗布する領域である。糊代２１の範囲は、糊代２１の内縁２１ａを示す印刷によって、識別可能である。内縁２１ａは、太線で示した。
なお、糊代片２０は、糊代２１であることを利用者に説明するために、「太線の外側に糊を塗布して下さい」等の印刷１４を備える。また、糊代片２０は、糊代２１の領域に、ハッチング等の印刷を設けてもよい。
また、断面図（図２（Ｂ）等）において、糊代２１を太線で示した。断面図の太線は、糊代２１を明確に示すためであり、なにかの層が積層されていることを示すものではない。
【００１３】
糊代２１は、折り線４０を除いた３つの縁部２２に設けられている。
糊代２１は、糊代片２０の縁部２２の端部（辺）から内側に、一定長さの範囲（外周部）に設けられている。糊代２１は、折り線４０の近傍では、折り線４０に接する範囲まで、設けられている（矢印Ａ参照）。
糊代２１に塗布する糊２５は、利用者の家庭（つまり一般家庭）であれば普通に備えるものを用いることができる。糊２５は、例えば、デンプン系接着剤、ポリビニルアルコール系接着剤等である。
【００１４】
剥離片３０は、内側となる面に剥離部３１を備える。
剥離部３１は、剥離層である。剥離部３１は、糊代２１に塗布した糊２５が接着することを抑制することにより、封緘した申込書１０を開封しやすくする。剥離部３１は、例えば、剥離片３０にシリコン樹脂等の離型性樹脂を塗布することにより設けられる。
剥離部３１は、透明な材料で形成される。これにより、印刷１１は、剥離部３１に重なっていても、剥離部３１を通して視認できる。
【００１５】
剥離部３１は、折り線４０を除いた３つの縁部３３に設けられている。
剥離部３１は、剥離片３０の縁部３３の端部（辺）から一定距離隔てた内側の範囲（外周部）に設けられている。このため、剥離部３１よりも外側には、剥離片３０の紙面が露出している。この露出した紙面は、糊代２１に接着する被接着部３４である。
但し、剥離部３１は、折り線４０に接する近傍（矢印Ａ参照）では、折り線４０に接するまで、かつ、剥離片３０の縁部３３（つまり上辺及び下辺）までの範囲に設けられている。
【００１６】
図３（Ａ）に示すように、申込書１０を折り線４０で折った状態では、剥離部３１の外形は、糊代２１の外形よりも小さい。また、糊代２１の内縁２１ａは、剥離部３１の外縁３１ａよりも内側に位置する。このため、製造誤差等によって、糊代２１、剥離部３１が位置ずれしても、糊代２１及び剥離部３１は、重複できる。
【００１７】
図２に示すように、折り線４０は、申込書１０を折るため線である。折り線４０は、例えば、ミシン目、押罫等である。
切り取り線５０は、封緘した申込書１０を開く場合に切断する部分である。切り取り線５０は、例えば、ミシン目等である。
切り取り線５０は、折り線４０を対称軸として左右対称な形状である。また、剥離片３０の切り取り線５０は、剥離部３１の外縁に一致している。
このため、申込書１０を折り線４０で折った状態では、糊代片２０の切り取り線５０、剥離片３０の切り取り線５０は、一致する。また、剥離片３０の切り取り線５０は、申込書１０を折り線４０で折った状態では、糊代２１上に配置される。
【００１８】
（使用方法）
図２から図５を参照して、申込書１０の使用方法を説明しながら、各構成の機能を説明する。
図４は、第１実施形態の申込書１０が封緘された状態から開く工程を説明する図である。
図５は、第１実施形態の申込書１０を開いた状態を説明する図である。
申込書１０は、以下の工程に従って使用される。
【００１９】
（♯１）糊塗布工程
図２（Ｂ）に示すように、利用者（封筒３の配送先）は、料金の支払い方法を変更したい場合には、申込書１０に必要事項を記入した後、糊２５を糊代２１に塗布する。
この場合、利用者は、自分で糊２５を塗布する。このため、糊２５は、糊代２１から内側にはみ出て塗布されてしまう場合がある（図２に示す範囲Ａ２５参照）。
【００２０】
（♯２）接着工程
図２、図３に示すように、利用者は、申込書１０を折り線４０で折って、糊代片２０と、剥離片３０とを接着する。これにより、申込書１０は、封緘された状態になる。
糊代２１の範囲Ｂ２５のうち外側の部分は、剥離片３０の被接着部３４（剥離部３１よりも外側の範囲）に重複する。この部分の糊２５は、この被接着部３４に接着することにより、糊代片２０、剥離片３０間を強固に接着する。
このように、申込書１０は、糊代２１の全範囲に糊２５を塗布することにより、糊２５は、剥離片３０の被接着部３４の全範囲に確実に付着する。このため、被接着部３４の全範囲を、接着領域として利用できる。
一方、糊代２１の範囲Ｂ２５のうち内側部分は、剥離部３１に重複する。この部分の糊２５は、剥離部３１に対して積極的に接着しない（つまり接着しないか、又は強固に接着しない）。
【００２１】
また、上記糊塗布工程において、糊代２１よりも内側にはみ出た範囲Ａ２５の糊２５は、剥離部３１に重なる範囲内であれば、糊代片２０、剥離片３０を積極的には接着しない。つまり、範囲Ａ２５の糊２５は、糊代２１の範囲Ｂ２５のうち内側部分の糊２５と同様な状態になる。
利用者は、この状態の申込書１０を、投函、配送業者に依頼等することにより、返送先（つまり配送元である携帯電話会社）に返送する。
【００２２】
なお、配送業者等は、振り分け機械等を用いて、配送物を振り分ける場合がある。振り分け機械等は、配送物をローラ間に通す。このため、配送物には大きな圧力がかかり、密閉された配送物は、破裂等のおそれがある。
図３（Ｃ）に示すように、申込書１０の折り線４０付近は、糊代２１の糊２５及び剥離部３１が、積極的に接着していない状態である。このため、申込書１０内部の圧力が大きくなると、両者は、離間する。
これにより、申込書１０は、上記圧力がかかった場合でも、内部の空気を逃がすことができるので（矢印Ｃ参照）、上記破裂等を抑制できる。
【００２３】
（♯３）切り取り工程
図４（Ａ）、図４（Ｂ）に示すように、返送先の作業者は、配送業者等から申込書１０を受け取ると、切り取り線５０を手で切り、外側の三方を切り離す。
前述したように、糊２５は、剥離片３０の被接着部３４の全範囲に確実に付着している。このため、糊２５は、切り取り線５０まで（又は切り取り線５０の直近まで）付着していることになる。これにより、切り取り線５０の切断時の作業性がよい。一般に、糊が切り取り線上又は切り取り線の直近まで付着していた方が、切り取り線によって糊代片及び剥離片を一体で切断しやすいためである。
なお、この切断の工程は、断裁機を用いてもよい。前述したように、糊２５が切り取り線５０まで（又は切り取り線５０の直近まで）付着していることにより、断裁機による切断の場合には、切断時における糊代片２０及び剥離片３０間のずれが生じにくく、正確な切断位置で切断することができる。
【００２４】
（♯４）開き工程
図４（Ｃ）、図５に示すように、返送先の作業者は、糊代片２０及び剥離片３０を開く。この場合、強接着された部分は、上記切り取り工程で切り離されているので、内側の紙面が破損してしまうことはない。
また、糊代２１に塗布されていた糊２５は、剥離部３１から剥離して、糊代２１側に残存する。
ここで、糊２５は、塗布された面に強く接着するという性質を有する。このため、糊塗布工程で糊代２１に塗布された糊２５は、糊代片２０側に確実に残存する状態になるので、剥離部３１側に糊２５が残存することはほとんどない。
【００２５】
これにより、申込書１０は、糊カスの発生を抑制できる。
つまり、実施形態とは異なり剥離層に糊が残存する形態であると、剥離部及び糊の間の接着力が弱いので、糊が剥離層から剥がれて脱落することにより、糊カスが発生してしまう。
また、切り取り線５０は、剥離部３１の外縁３１ａに一致しているので、剥離片３０の印刷内容（印刷１１等）は、全て残る。このため、申込書１０は、剥離部３１の設置されている領域を、通信に利用する部分として利用できる。これにより、申込書１０は、通信等に利用できる面積を大きくすることができる。
【００２６】
その後、返送先の作業者は、口座変更にともなう必要な処理を行う。この処理は、例えばスキャナで申込書１０の画像を取得する等、事務機械を用いる処理が含まれる。
このような処理において、申込書１０は、スキャナの読み取り面に糊カスが付着することを抑制できるし、また、事務機械の送り機構に糊カスが付着することを抑制できる。
【００２７】
以上説明したように、本実施形態の申込書１０は、糊２５が糊代２１からはみ出て塗布された状態で封緘されても、開封後における糊カスの発生を抑制できる。また、申込書１０は、通信等に利用できる面積を大きくすることができる。
【００２８】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図６は、第２実施形態の申込書２１０を開いた状態を示す図である。
図６（Ａ）は、申込書２１０を開いた状態を、上面から見た図である。
図６（Ｂ）は、図６（Ａ）のＢ−Ｂ断面図である。
【００２９】
第２実施形態の申込書２１０は、糊代片２２０の糊代２２１の外形が、第１実施形態とは異なる。
糊代２２１は、折り線４０に接しておらず、折り線４０との間に隙間２２１ｂを有する。
このため、利用者が糊２５を塗布する場合に、糊代２２１を超えて隙間２２１ｂに塗布されてしまっても（図６（Ｂ）の範囲Ａ２２５参照）、糊代２２１が折り線４０を超えることを抑制できる。
このため、糊２５が剥離部３１に直接塗布されることを抑制できる。これにより、申込書２１０は、開封後における糊カスの発生をより確実に抑制できる。また、封緘時において隙間２２１ｂ全体に糊が塗布されない状態であれば、申込書２１０は、振り分け機械の振り分け時等における破裂等を、より確実に抑制できる。
【００３０】
（第３実施形態）
次に、本発明の第３実施形態について説明する。
図７は、第３実施形態の申込書３１０を開いた状態を、上面から見た図である。
第３実施形態の申込書３１０は、切り取り線３５０の位置が、第１実施形態とは異なる。
糊代片２０の切り取り線３５０は、糊代２１の内縁２１ａと一致するように配置されている。また、切り取り線３５０は、折り線４０を対称軸として左右対称である。このため、申込書３１０を折った状態では、糊代片２０の切り取り線３５０と、剥離片３０の切り取り線３５０とは、一致する（折った状態の図示は、省略する）。
このような形態であっても、申込書３１０は、封緘後に切り取り線３５０で切ることにより開封できるし、また、開封後における糊カスの発生を抑制できる。
【００３１】
なお、本実施形態とは異なり、切り取り線３５０を、糊代２１の内縁２１ａよりも内側に配置すると、通信に利用する部分（印刷１１，１２等を設ける部分）の面積が減少してしまうし、また、より内側に配置すると、通信に利用する部分に糊が塗布されてしまう場合もある。
このため、切り取り線３５０は、最も内側に配置した場合であっても、糊代２１の内縁２１ａと一致するように配置することが適切である。
【００３２】
なお、切り取り線３５０は、剥離片３０の剥離部の外縁３１ａから糊代２１の内縁２１ａまでの範囲Ａ３５０を通るように設計変更することができる。この形態であれば、通信等に利用できる面積を多く設けることができ、かつ、通信に利用する部分に糊が塗布されてしまうことを抑制できるからである。
また、設計変更する場合には、切り取り線３５０を、範囲Ａ３５０のより外側に配置する程、糊を切り取り線３５０のより直近まで付着させることができる。これにより、切り取り線３５０の切断時の作業性を向上できる。
【００３３】
（第４実施形態）
次に、本発明の第４実施形態について説明する。
図８は、第４実施形態の申込書４１０を開いた状態を、上面から見た図である。
第４実施形態の申込書４１０は、折った状態において、糊代２１の内縁２１ａの位置と、剥離部３１の外縁３１ａの位置とが、一致するように配置した。また、切り取り線５０を、糊代２１の内縁２１ａと、剥離部３１の外縁３１ａとに一致させた。
この場合にも、糊代２１よりも内側に塗布された糊は、封緘された状態では、剥離部３１に重なった状態になる。また、切り取り線５０で切ることにより、糊が接着した剥離片３０の被接着部３４を切り取ることができるので、申込書４１０を開封できる。
これにより、申込書４１０は、開封後には、第１実施形態と同様に、糊カスの発生を抑制できる。
【００３４】
なお、申込書４１０の大きさに余裕があり、糊代２１の領域を十分に確保できる場合には、糊代２１の内縁２１ａを、剥離部３１の外縁３１ａよりも外側に配置してもよい。この場合も、申込書４１０を折り線４０で折った状態で、剥離部３１の外形が、糊代２１の外形よりも小さい形態になる。この場合にも、折った状態において、切り取り線５０を、剥離部３１の外縁３１ａに一致させることにより、申込書４１０は、上記作用、効果を奏する。
【００３５】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３６】
（変形形態）
（１）実施形態において、封緘体は、切取り線を備える例を示したが、これに限定されない。封緘体を開封するために、例えば、鋏、断裁機を利用する形態では、切取り線は、不要である。
【００３７】
（２）実施形態において、封緘体は、四角形であり、３方を糊で接着された例を示したが、これに限定されない。封緘体は、三角形、又は五角形以上の多角形である場合には、２方又は４方以上を接着されてもよい。封緘体が、例えば、三角形の三角くじ等である場合には、２方を接着すればよい。
【００３８】
（３）実施形態において、糊代、剥離部は、コの字状に連続した形態である例を示したが、これに限定されない。糊代、剥離部は、糊代片、剥離片の外周部に設けられた形態あればよく、例えば、一部の範囲が連続していなくてもよい。
【００３９】
（４）実施形態において、封筒には、一通の封緘体が封入された例を示したが、これに限定されない。例えば、一世帯に複数の利用者がいる場合には、配送先が同一であるので、複数の封緘体を１つの封筒に封入してもよい。封緘体は、１枚構成であるので、より多くの封緘体を、封筒に封入することができる。
【００４０】
（５）実施形態において、封緘体には、利用者が糊を塗布する例を示したが、これに限定されない。封緘体は、予め、糊代に接着剤を塗布されたものでもよい。
封緘体は、例えば、接着剤として粘着剤が積層されたものでもよい。この場合には、粘着剤に剥離紙を積層しておき、使用時に剥離紙を剥がせばよい。また、封緘体は、例えば、接着剤として、切手の裏面のように水で塗らすことにより接着性を発現するものを塗布しておいてもよい。
【符号の説明】
【００４１】
１０，２１０，３１０，４１０  申込書
２０，２２０  糊代片
２１，２２１  糊代
２１ａ  内縁
２５  糊
３０  剥離片
３１  剥離部
３１ａ  外縁
４０  折り線
５０，３５０  切り取り線
【図１】
2019011136.tif 000003
【図２】
2019011136.tif 000004
【図３】
2019011136.tif 000005
【図４】
2019011136.tif 000006
【図５】
2019011136.tif 000007
【図６】
2019011136.tif 000008
【図７】
2019011136.tif 000009
【図８】
2019011136.tif 000010